(57)【要約】【課題】簡単な構成で、安価な防犯カメラ用のダミーレンズを提供することにある。【解決手段】  透明部材からなり、監視カメラのレンズの形状を模した透明パーツと、監視カメラの前面からレンズを見た場合のレンズ外観色調を付すとともに、透明パーツの球面部の表面積と略同一面積のシールと、監視カメラの前面方向に対して開口された筒状部において透明パーツを固定配置するレンズ筐体と、を有し、透明パーツは筒状部に配置される部材のうち監視カメラの最前面に配置されるとともに、透明パーツにおける監視カメラの背面方向に、シールを配置することを特徴とする監視用ダミーカメラ。【選択図】図３
2014157437.tif 000002
【特許請求の範囲】
【請求項１】
透明部材からなり、監視カメラのレンズの形状を模した透明パーツと、
前記監視カメラの前面から前記レンズを見た場合のレンズ外観色調を付すとともに、前記透明パーツの球面部の表面積と略同一面積のシールと、
前記監視カメラの前面方向に対して開口された筒状部において前記透明パーツを固定配置するレンズ筐体と、を有し、
前記透明パーツは前記筒状部に配置される部材のうち前記監視カメラの最前面に配置されるとともに、前記透明パーツにおける前記監視カメラの背面方向に、前記シールを配置することを特徴とする監視用ダミーカメラ。
【請求項２】
請求項１に記載の監視用ダミーカメラにおいて、
前記シールは、一定の幅を有する円周を複数描写し、前記複数の円周を同心円状に配置し、隣り合う円周の色彩を異ならせることでレンズ外観色調を表現すること特徴とする監視用ダミーカメラ。
【請求項３】
請求項２に記載の監視用ダミーカメラにおいて、
前記シールは、レンズの表面に反射した光を表現した白色または明度の高い色調を付すことでレンズ外観色調を表現することを特徴とする監視用ダミーカメラ。
【請求項４】
請求項１〜３のいずれかに記載の監視用ダミーカメラにおいて、
前記透明パーツは、ＰＣまたはＡＢＳの透明樹脂からなることを特徴とする監視用ダミーカメラ。
【発明の詳細な説明】
【技術分野】
【０００１】
本発明は、監視用ダミーカメラに関するものである。
【背景技術】
【０００２】
近年、防犯カメラの設置は犯罪抑止の観点から多岐に渡るようになり、様々な場所に設置されるようになってきている。しかしながら、防犯カメラの価格は非常に高価なため、全ての場所に設置することは難しい。そこで重要な場所以外は、通常の防犯カメラより安価な張りぼてのダミーカメラを設置することにより、導入価格の低減を図ることができる。このことにより、常に人目につく場所や重要ではない場所には、ダミーカメラを設置することにより犯罪抑止の効果を安価に得ることができる。
【０００３】
本技術分野の背景技術として、特開２０１１−１０４９７４号公報（特許文献１）がある。この公報には、「防犯用ダミーカメラのダミーレンズ構成については、装飾体として、ガラス又はプラスチック等の透明基材と光透過性再帰反射メッキシートを設け擬似する方法」が開示されている。また、特開２００２−３２８７１号公報（特許文献２）には、「監視用ダミーカメラのレンズ部において、レンズフードの底部の青色フイルムの上に透明な樹脂を垂らし、樹脂の表面張力でドーム状にダミーレンズを形成する。ダミーカメラ周辺の光がダミーレンズを照らすと、ダミーレンズを形成している樹脂内の光の反射により、あたかも本物のレンズのように見せる。」と記載されている。
【先行技術文献】
【特許文献】
【０００４】
【特許文献１】特開２０１１−１０４９７４号公報
【特許文献２】特開２００２−３２８７１号公報
【発明の概要】
【発明が解決しようとする課題】
【０００５】
前記特許文献１には、安価なガラスやプラスチック等の透明基材を用いて、宝玉と同じように所望の光を反射し、また光透過性も可能にすることを目的とし、透明レンズ面にブリリアントカットや裏面に光透過性再帰反射メッキシートを使用することが記載されている。
【０００６】
また、前記特許文献２には、監視用ダミーカメラのレンズ部において、レンズフードの底部の青色フイルムの上に透明な樹脂を垂らし、樹脂の表面張力でドーム状にダミーレンズを形成することが記載されている。
【０００７】
しかし、いずれにおいても、作成における工程数が多くなる為コストが安価とは言えない。そこで本発明は、安価で簡易な監視用ダミーカメラのレンズを提供することを目的とする。
【課題を解決するための手段】
【０００８】
上記課題を解決するために、本発明は、透明部材からなり、監視カメラのレンズの形状を模した透明パーツと、監視カメラの前面からレンズを見た場合のレンズ外観色調を付すとともに、透明パーツの球面部の表面積と略同一面積のシールと、監視カメラの前面方向に対して開口された筒状部において透明パーツを固定配置するレンズ筐体と、を有し、透明パーツは筒状部に配置される部材のうち監視カメラの最前面に配置されるとともに、透明パーツにおける監視カメラの背面方向に、シールを配置することを特徴とする。
【発明の効果】
【０００９】
本発明によれば、簡単な構成で、安価なダミーレンズを用いた監視用ダミーカメラを提供することができる。上記以外の課題、手段、効果は、後述する実施例によって明らかにされる。
【図面の簡単な説明】
【００１０】
【図１】ダミーレンズを組み込んだ監視用カメラの全体構成図である。
【図２】監視カメラのレンズ構成部の分解斜視図である。
【図３】ダミーレンズ構成部の分解斜視図である。
【図４】レンズ外観色調を模したシールを示す図である。
【発明を実施するための形態】
【００１１】
以下、本発明の実施の形態を、図面を用いて説明する。
【００１２】
図１は、本実施例にかかる監視用カメラのダミーレンズを組み込んだ監視用カメラ１００の一実施例を示す図である。
【００１３】
監視用ダミーカメラ１００は、本発明のダミーレンズ構成部１０１、筐体１０２およびレンズカバー１０３を有する。ダミーレンズ構成部１０１の詳細構成は後述する図３で説明するが、ダミーレンズ構成部１０１のレンズは、レンズカバー１０３でカバーされており、筐体１０２は、受光素子などの内部構成部品を配置、格納している。
【００１４】
図２は、監視カメラのレンズ構成部１０１の分解斜視図である２００である。
【００１５】
図２におけるレンズユニット２００は、レンズ２０１およびレンズ筐体２０２を有している。レンズ筐体２０２は、監視カメラ２００の前面方向に対して開口された筒状部においてレンズ２０１を固定配置する。ここで、図に示すように、レンズ２０１およびレンズ筐体２０２は同軸上２０３に設置されていることが望ましい。また、図示していないが、レンズ２０１とレンズ筐体２０２とにより形成された内部空間に受光素子、ズームレンズ、絞り等が配置される。
【００１６】
図３は、本実施例のダミーレンズ構成部１０１の分解斜視図であるダミーレンズユニット２００である。
【００１７】
図３におけるダミーレンズユニット３００は、透明パーツ３０１、レンズ外観色調を模したシール３０２、およびレンズ筐体を模したパーツ３０３と、を有している。ここで、図に示すように、レンズ筐体を模したパーツ３０３は、監視用ダミーカメラ３００の前面方向に対して開口された筒状部において、透明パーツ３０１、レンズ外観色調を模したシール３０２を固定配置する。また、透明パーツ３０１、レンズ外観色調を模したシール３０２およびレンズ筐体を模したパーツ３０３は同軸上３０４に設置されることが望ましい。
【００１８】
レンズを模した透明パーツ３０１は、レンズを模したパーツであり、レンズの透明感を出すためにガラスが最適であるが、ＰＣやＡＢＳ系の透明樹脂も採用することができる。
【００１９】
レンズ外観色調を模したシール３０２は、レンズの奥行感を表現するための色調を模した模様が付されている。具体的には、図２における監視カメラ２００において、軸２０３の軸方向であって、レンズ２０１からレンズ筐体２０２へ向かう方向に監視カメラ２００を見たときに、レンズ２０１越しに見えるレンズ筐体２０２の内部構成やレンズ２０１の色調を表した模様が付されている。詳細は、後述の図４で説明する。
【００２０】
また、レンズ筐体を模したパーツ３０３は、レンズを模した透明パーツ３０１及びレンズの奥行感を表現するためのレンズ外観色調を模したシール３０２を配置するための円状の溝３０５が形成されており、透明パーツ３０１とレンズ筐体３０３との間にレンズ外観色調を模したシール３０２を配置する。このように、透明パーツ３０１を外部から直接見える前端部に配置し、レンズ筐体３０３側にシール３０２を配置することによって、外部から見たときに、透明パーツ３０１を介してシール３０３を見ることになり、透明部材を通しての奥行き感を表現することができ、擬似感の少ない監視カメラにすることができる。
【００２１】
図４は、本実施例のレンズ外観色調を模したシール４００を示す図である。
【００２２】
レンズ外観色調を模したシール４００は、同心円状に幅・色調の濃淡を変えた複数の円を付することにより、図２における軸２０４上からカメラユニット２０３を見た時の内部レンズ群を表現している。シール４００では、濃い色４０１および淡い色４０２で円を付すことにより、それぞれレンズ筐体部およびレンズ筐体部の凹凸形状を表現している。
【００２３】
さらに表面にいくつかの白色又は明るい色調のドット３０３を配置することにより、レンズの表面に反射した光を表現している。ドット３０３は、円弧状に扇形を形成するように上下左右の対角線上にいくつか配置することにより、よりレンズらしい風合いとなる。
【００２４】
以上のように、透明パーツを外部から直接見える前端部に配置し、レンズ外観色調を模したシールを透明パーツの背面に配置することで、より本物の監視カメラに見えることが可能となり、また、工程数も少なく構成も簡易なために安価な監視用ダミーカメラを作成することができる。
【符号の説明】
【００２５】
１００  監視用ダミーカメラ
１０１  ダミーレンズ構成部
１０２  筐体
１０３  レンズカバー
【図１】
2014157437.tif 000003
【図２】
2014157437.tif 000004
【図３】
2014157437.tif 000005
【図４】
2014157437.tif 000006